(57)【要約】      （修正有）【課題】従来は、背ボトムを上傾する軸を背ボトムのひざボトム側のへりとしていたから、背ボトムを上傾するとき、背ボトム上に載上しているマットレス、仰臥している人の臀部から上をも上傾するから、その負荷は大きく、背ボトムを上傾するアクチュエータを必要とし、背ボトムの上傾に連動して、ひざボトムおよび足ボトムを山形に隆起する機構を必要とした。【解決手段】背ボトム５は、フレーム１へりから上方に突出する部材（上支材）２の上端３に、背ボトム５のひざボトム６との蝶着部からヘットボード１４側に離れた位置を蝶着し、ひざボトム６は裏面の中間１１を、フットボード１５側のへりからヘッドボード１４方向、斜め上方に突設した部材（斜支材）９の上端に蝶着して高く支え、上支材２、フレーム１を固定節とし、背ボトム５を原節、ひざボトム６を従節、斜支材９を連節とするリンクを形成し、足ボトム７はひざボトム６の動きにつれて動く構造にする。【選択図】図１ａ
2011136115.tif 000002
【特許請求の範囲】
【請求項１】
フレーム１上方に突設した部材２の上端に、背ボトム５の、連結したひざボトムの蝶着部よりヘッドボード側を背ボトムの蝶着部３として蝶着し、膝ボトムの裏面に、フレームの１フットボード１６側に蝶着してヘットボード１４の方向に斜め上方に突設した部材（以下、斜支材９という。）の上端を蝶着しているのを特徴とするベット。
【発明の詳細な説明】
【技術分野】
【０００１】  本発明は、背ボトム上傾可能なリンク構造のベツトに関する。
【背景技術】
【０００２】  図２は、従来の背ボトム３２上傾可能なベット３０の一例である。フレーム３１上に背ボトム３２、ひざボトム３３及びあしボトム３４が水平に載上しているときの図である。【０００３】  背ボトム３２の下のフレーム３１に、背ボトム３２を上傾するＬ字型の部材３６が、先端にローラ３８軸着した長尺部３７をヘットボード３５側に向け、短尺部（長さが短い部分。）３９を下方に向けて、Ｌ字形の角をフレーム３１に軸着していて、そのＬ字型の部材３６上に背ボトム３２が載上している。【０００４】  背ボトム３２のフットボード４０側のフレーム３１に載上している連結したひざボトム３３と足ボトム４０のひざボトムの下に、連結したひざボトム３と足ボトム３４をを山形に隆起させるＬ字型の部材４１が、先端にローラ５０を軸着した長尺側をフットボード４０側に向け、短軸側を下に向けて、Ｌ字型の角をフレーム３１に軸着している。【０００５】  ヘッドボード３５側のフレーム３１の下に、アクチュエータ４４が装備され、そのアクチュエータ４４のフットボード４０側にスライドアーム４５がフットボード４０方向に突出され、そのスライドアーム４５の先端に、背ボトム３２を上傾するＬ字型の部材３６の下方に突出した短尺部（長さが短い部分をいう。）３９の下端が軸着され、その軸着部４６にワイヤー４８がフットボード４０方向に繋着されている。【０００６】  フットボード方向に繋着されたワイヤー４８は、ひざボトム３３および足ボトム３４を山型に隆起させるＬ字型の部材４１の下方突出部に、その部材４１の軸着部のフットボード側から下方に突設した、下端に滑車４２を軸着した部材４３の滑車４２で反転して、前記のＬ字形の部材の下方突出部の下端に繋着している。【０００７】  ベット３０にアクチュエータ４４を起動・停止するスイッチ５２及び５３を着接している。【０００８】  図３は、前記のベット３０の背ボトム３２は上傾して、ひざボトム３３及びあしボトム３４が山型に隆起しているときの図である。
アクチュエータ４４の起動スイッチ５２を押してアクチュエータ４４を起動すると、スライドアーム４５が短縮して、背ボトム３２を上傾するＬ字形の部材３６の短尺（短い長さをいう。）側がヘットボード３５側に引かれて、Ｌ字型の部材３６は上傾して、背ボトムは上傾し、【０００９】  上傾した背ボトム３２をフレーム３１上に平らに戻すときは、背ボトム３２を平らに戻す側のスイッチ５３を押してアクチュエータ４４を起動すると、スライドアーム４５はフットボード４０側に伸長して、上傾していたＬ形の部材３６はフレーム３１上に平らに戻って、上傾していた背ボトム３２はフレーム３１上に平らに復帰する。
同時に、スライドアームの先端に繋着されているワイヤはフットボード側に伸長して、ひざボトム３３と足ボトム３４を山形に隆起させていたひざボトム３３の下のＬ字型の部材４１の長尺側はフレーム３１に平行に戻り、隆起していたひざボトム３３と足ボトム３４は、フレーム３１上に平らに復帰する。【００１０】
【特許文献１】  特開２００７−６１３６１公報（Ａ）  （第１０頁。第１図および第２図）
【発明の開示】
【発明が解決としようとする課題】
【００１１】  以上説明の、従来の背ボトム３２を上傾する従来のベット３０は、背ボトム３２および連結したひざボトム３３と足ボトム３４を山形に隆起させるための機構を要し、背ボトム３２を上傾するときは、背ボトム３２のフットボード４０側のへりを支軸として上傾していたから、背ボトム３２を上傾するときは、背ボトム３２上のマットレス、背ボトム３２上に横臥している人の上体（上体は体の腰から上をいうが、この明細書では体の臀部から上をいう。）などをともに上傾しなければならなかったから、背ボトム３２を上傾するヘット負荷は過大で、背ボトムを上傾する機構はそれに対応する能力を要し、アクチュエータ４４の設置は必須であった。
【００１２】  本発明のベットは、背ボトム５を回動する軸を、フレーム１の上方に突設した部材の、水平に連結した背ボトム５、ひざボトム６及び足ボトム７が載上しているときの図である。
【００１３】  背ボトム５をフレーム１上に高く支える部材（以下、上支材２という。）上に蝶着し、その背ボトム５の上支材２との蝶着部３（以下、この蝶着部を背ボトムの蝶着部３という。）をひざボトム６側のへりよりヘッドボード側に離して、背ボトムを上傾するときの負荷を軽減し、背ボトム５を上傾したとき、背ボトム５とひざボトム６の連結部はＶ型に屈折して降下し、ひざベトム６と足ボトム７の連結部は山形に屈折して突出する構造を、簡単なリンク構造にして、背ボトムを上傾する機構、ひざベトムと足ボトムの連結部を山型に隆起させる機構を不用にし、アクチュエータ４４を必須としない簡単な構造のベットを提供する。
【課題を解決するための手段】
【００１４】  第１図は、フレーム１の上方に突設した背ボトムを高く支える部材（以下上支材という）２の上に、連結された背ボトム５、ひざボトムおよび足ボトムが水平に載上しているときの図である。
フレーム１から上方に、背ボトムを高く支える支材２が突設されていて、その上端に、背ボトム５のひざボトム側のへりからフットボード側に離れた位置に、前記の上支材２上端が蝶着されていて、背ボトムのフットボード側のへりにひざボトムが蝶着され、そのひざボトムのフットボード側のへりにのへりに足ボトム７が蝶着され、足ボトム７のフットボード１５側は、フットボード１５側のフレーム１６上に蝶設された上方に突設した足ボトムを高く支える部材８上に蝶着されている。
【００１５】  ヘッドボード１４に、背ボトム５を水平に載上する棚４を形設している。
【００１６】  ひざボトム６の裏面の中間１７は、下端をフレーム１のフットボード１５側に蝶着してヘッドボードの方へ斜め上方に突設した部材９（以下、この膝ボム６を支える部材を斜支材９という。）の上端に蝶着されて、フレーム１上方に高く支えられている。
【００１７】  なお、斜支材９とフレーム１との蝶着部１０は、フレーム１の上方に背ボトム５、ひざボトム６及び足ボトム７が水平に載上しているときの、ひざボトム６と斜支材９８の蝶着部１７と、図１ｃに示す、背ボトム５を最大に上傾して、ひざボトム６の裏面がフレーム１上に当接したときの、ひざボトム６の斜支材９の蝶着部１８とを結ぶ線の垂直２等分線２２上、フレーム１の上のへりより低い位置にしている。
【００１８】  上支材２のフレーム１からの高さは、背ボトム５が最大に上傾できる高さにしている。
【発明の効果】
【００１９】  本発明の背ボトムが上傾できるベットは、以上の説明のように、背ボトム５の傾きにひざボトム６及び足ボトム７が従動する、極めて簡単なリンク構造で構造で、背ボトムを上傾させ、ひざボトム及び足ボトムの連結部を山型に隆起させるさせる機構は不要で、部品が少ない簡単な構造であるから、低コストに製作可能である。
【００２０】  本発明のベットは、背ボトム５の、ベットに仰臥した人の腰の位置を蝶着部３にして上傾しているから極めて軽く上傾し、ベット上の仰臥位した人がおしりを下げて、背ボトムとひざボトムの連結部に体重をかけると、背ボトムは容易に上傾し、背ボトムとひざボトムの連結部はＶ字型に降下して、ひざボトムと足ボトムの連結部は山型に隆起するから、背ボトムを適度に上傾すると、楽な仰臥姿勢で読書・テレビが楽しむことが出来る。
【００２１】  背ボトムを最大に上傾すると、ひざボトムはさらに降下して、ひざボトムの裏面はフレーム上に平らに着座する。従って、離床する人は、平らになったひざボトムに座ってから離床できるから、ベットの就床、離床は容易で、車椅子への乗り換えも容易になる。
【００２２】  また背ボトムが上傾しているベットに仰臥している人が、足を伸ばして体を真っ直ぐ伸ばすと、背ボトムに体重が掛かってフレーム上に平らに戻り、ベット上に体を水平に仰臥することができる。
【００２３】  本発明のべっと背ボトムの上傾する角度を６０°以内にすると、アクチュエータを要せずに背ボトム５の上傾、復帰は自在である。
【００２４】  、の介護されている人の上衣の着せ替えが容易になる。
【発明を実施するための最良の形態】
【００２５】  本発明のベットにアクチュエータ９を装備すると、背ボトムを任意角度に上傾して、ベット上で読書、テレビが楽しめる。
【図面の簡単な説明】
【００２６】
【図１ａ】  背ボトム、ひざボトムおよび足ボトムが平らなときの本発明のベット
【図１ｂ】  背ボトムが中間の角度に上傾したときの本発明のベット
【図１ｃ】  背ボトムを最大に上傾したときの本発明のベット図
【図２】  フレーム上に背ボトム、ひざボトムおよび足ボトムが水平載上している従来のベット。
【図３】  フレーム上に背ボトムが上傾し、ひざボトムおよび足ボトムが山型に隆起しているときの従来のベット。
【符号の説明】
【００２７】−      １    フレーム
２    （背ボトムの）上支材
３    背ボトムの蝶着部
４    棚
５    背ボトム
６    ひざボトム
７    足ボトム
８    足ボトムを高く支える部材
９    斜支材
１０    斜支材とフレームの蝶着部
１１    ひざボトムと斜支材の蝶着部
１２    アクチュエータ
１３    垂直二等分線
１４    ヘッドボード
１５    フットボード
１６    フットボード側のフレーム
１７    ひざボトムがフレーム上方に水平に載上していると切りひざボトム６と斜            支材９との蝶着部の位置
１８    ひざボトム６の裏面がフレーム１に当接したときのひざボトム６と斜支材            ９との蝶着部の位置
１９    １７と１８の間の垂直に等分の線
３０    ベット
３１    フレーム
３２    背ボトム
３３    ひざボトム
３４    足ボトム
３５    ヘッドボード
３６    Ｌ字型の部材
３７    （Ｌ字型の部材）の長尺部
３８    ローラ
３９    （Ｌ字型の部材）の短尺部
４０    フットボード
４１    Ｌ字型の部材
４２    滑車
４３    （滑車を軸着した）部材
４４    アクチュエータ
４５    スライドアーム
４６    スライドアームとＬ字型部材の軸着部
４７    ワイヤ
５０    ローラ
５２    アクチュエータの上傾スイッチ
５３  アクチュエータの復帰スイッチ
【図１ａ】
2011136115.tif 000003
【図１ｂ】
2011136115.tif 000004
【図１ｃ】
2011136115.tif 000005
【図２】
2011136115.tif 000006
【図３】
2011136115.tif 000007